【手続補正書】
【提出日】平成27年12月8日(2015.12.8)
【手続補正１】
【補正対象書類名】明細書
【補正対象項目名】００１１
【補正方法】変更
【補正の内容】
【００１１】
本発明は、ブラウザがインストールされたクライアント端末と、画像データを管理する情報処理装置とが、ネットワークを介して通信可能に設けられ、画像データの抽出を行うためのコンテストの主催者が設定した条件に従って、画像データの抽出を行う情報処理システムであって、
【手続補正２】
【補正対象書類名】特許請求の範囲
【補正対象項目名】全文
【補正方法】変更
【補正の内容】
【特許請求の範囲】
【請求項１】
ブラウザがインストールされたクライアント端末と、画像データを管理する情報処理装置とが、ネットワークを介して通信可能に設けられ、画像データの抽出を行うためのコンテストの主催者が設定した条件に従って、画像データの抽出を行う情報処理システムであって、
前記情報処理装置は、
画像データを管理する第一の管理手段と、
前記クライアント端末を操作するユーザに所定の条件に応じた画像データを選択させるために用いられる選択条件を管理する第二の管理手段と、
前記クライアント端末からの要求に応じて、前記第一の管理手段により管理された画像データを含む前記クライアント端末のブラウザ上に表示可能な画面情報を送信する送信手段とを備え、
前記クライアント端末は、
前記送信手段により送信された画面情報を受信する受信手段と、
前記受信手段により受信された画面情報を用いて、当該画面情報に含まれる画像データをブラウザ上に表示する制御を行う表示手段と、
前記表示手段によりブラウザ上に表示された画像データに対する選択を受け付ける選択受付手段と、
前記選択受付手段により画像データに対する選択を受け付けたことに応じて、画像データに対する選択状態に関する情報を通知する通知手段とを備え、
前記情報処理装置または前記クライアント端末のいずれかは、
前記通知手段により通知された画像データに対する選択状態に関する情報を受け付ける受付手段と、
前記受付手段により受け付けた画像データに対する選択状態に関する情報を用いて、前記第二の管理手段により管理された選択条件を満たすかを判定する判定手段と、
前記判定手段による判定の結果、選択条件を満たすと判定された場合、前記クライアント端末のブラウザ上に表示された画像データに対する選択状態をユーザに確定させる確定指示オブジェクトを選択可能にさせる旨の指示をし、一方、選択条件を満たさないと判定された場合、前記クライアント端末のブラウザ上に表示された画像データに対する選択状態をユーザに確定させる確定指示オブジェクトを選択不能にさせる旨の指示をする指示手段とを備え、
前記クライアント端末は、
前記指示手段によりなされた指示の内容に応じて、前記画像データに対する選択状態をユーザに確定させる確定指示オブジェクトの状態を制御する制御手段と
を備えることを特徴とする情報処理システム。
【請求項２】
前記クライアント端末は、
前記確定指示オブジェクトがユーザにより押下されたことを検知した場合、前記画像データに対する選択内容を登録する要求を前記情報処理装置に行う登録要求手段を備え、
前記情報処理装置は、
前記登録要求手段によりなされた要求に応じて、前記選択内容を登録する登録手段を備えることを特徴とする請求項１に記載の情報処理システム。
【請求項３】
前記画面情報には、前記第二の管理手段により管理される選択条件が含まれるものであり、
前記表示手段は、前記選択条件の内容をユーザに識別可能に表示させることを特徴とする請求項１または２に記載の情報処理システム。
【請求項４】
前記選択条件は、複数の条件それぞれについて画像データの選択数を定義した選択条件であることを特徴とする請求項１乃至３のいずれか１項に記載の情報処理システム。
【請求項５】
前記画面情報には、スクリプト言語で記述されたプログラムが含まれ、
前記通知手段および前記制御手段は、前記プログラムに従って処理を実行することを特徴とする特徴とする請求項１乃至４のいずれか１項に記載の情報処理システム。
【請求項６】
前記画面情報には、スクリプト言語で記述されたプログラムが含まれ、
前記クライアント端末において、
前記受付手段、前記判定手段、前記指示手段は、前記プログラムに従って処理を実行することを特徴とする請求項５に記載の情報処理システム。
【請求項７】
前記クライアント端末は、
前記クライアント端末を操作するユーザに所定の条件に応じた画像データを選択させるために用いられる選択条件の入力を受付けて、前記情報処理装置の前記第二の管理手段に送信する、選択条件受付送信手段と、
前記情報処理装置は、
前記選択条件受付送信手段によって受付けた前記選択条件を受付けて前記第二の管理手段に格納する選択条件受付格納手段と
をさらに備えることを特徴とする請求項１乃至６のいずれか１項に記載の情報処理システム。
【請求項８】
前記クライアント端末は、
前記情報処理装置の前記第一の管理手段に送信するための前記画像データを受付けて、
前記情報処理装置に送信する画像受付送信手段と、
前記情報処理装置は、
前記画像受付送信手段で送信された前記画像データを受付けて前記第二の管理手段に格納する画像受付格納手段と
をさらに備えることを特徴とする請求項１乃至７のいずれか１項に記載の情報処理システム。
【請求項９】
ブラウザがインストールされたクライアント端末と、画像データを管理する情報処理装置とが、ネットワークを介して通信可能に設けられ、画像データの抽出を行うためのコンテストの主催者が設定した条件に従って、画像データの抽出を行う情報処理システムにおける情報処理方法であって、
前記情報処理装置は、
画像データを管理する第一の管理ステップと、
前記クライアント端末を操作するユーザに所定の条件に応じた画像データを選択させるために用いられる選択条件を管理する第二の管理ステップと、
前記クライアント端末からの要求に応じて、前記第一の管理ステップにより管理された画像データを含む前記クライアント端末のブラウザ上に表示可能な画面情報を送信する送信ステップとを含み、
前記クライアント端末は、
前記送信ステップにより送信された画面情報を受信する受信ステップと、
前記受信ステップにより受信された画面情報を用いて、当該画面情報に含まれる画像データをブラウザ上に表示する制御を行う表示ステップと、
前記表示ステップによりブラウザ上に表示された画像データに対する選択を受け付ける選択受付ステップと、
前記選択受付ステップにより画像データに対する選択を受け付けたことに応じて、画像データに対する選択状態に関する情報を通知する通知ステップとを含み、
前記情報処理装置または前記クライアント端末のいずれかは、
前記通知ステップにより通知された画像データに対する選択状態に関する情報を受け付ける受付ステップと、
前記受付ステップにより受け付けた画像データに対する選択状態に関する情報を用いて、前記第二の管理ステップにより管理された選択条件を満たすかを判定する判定ステップ
と、
前記判定ステップによる判定の結果、選択条件を満たすと判定された場合、前記クライアント端末のブラウザ上に表示された画像データに対する選択状態をユーザに確定させる確定指示オブジェクトを選択可能にさせる旨の指示をし、一方、選択条件を満たさないと判定された場合、前記クライアント端末のブラウザ上に表示された画像データに対する選択状態をユーザに確定させる確定指示オブジェクトを選択不能にさせる旨の指示をする指示ステップとを含み、
前記クライアント端末は、
前記指示ステップによりなされた指示の内容に応じて、前記画像データに対する選択状態をユーザに確定させる確定指示オブジェクトの状態を制御する制御ステップと
を含むことを特徴とする情報処理方法。
【請求項１０】
ブラウザがインストールされたクライアント端末と、画像データを管理する情報処理装置とが、ネットワークを介して通信可能に設けられ、画像データの抽出を行うためのコンテストの主催者が設定した条件に従って、画像データの抽出を行う情報処理システムにおいて実行が可能なプログラムであって、
前記情報処理装置を、
画像データを管理する第一の管理手段、
前記クライアント端末を操作するユーザに所定の条件に応じた画像データを選択させるために用いられる選択条件を管理する第二の管理手段、
前記クライアント端末からの要求に応じて、前記第一の管理手段により管理された画像データを含む前記クライアント端末のブラウザ上に表示可能な画面情報を送信する送信手段として機能させ、
前記クライアント端末を、
前記送信手段により送信された画面情報を受信する受信手段、
前記受信手段により受信された画面情報を用いて、当該画面情報に含まれる画像データをブラウザ上に表示する制御を行う表示手段、
前記表示手段によりブラウザ上に表示された画像データに対する選択を受け付ける選択受付手段、
前記選択受付手段により画像データに対する選択を受け付けたことに応じて、画像データに対する選択状態に関する情報を通知する通知手段として機能させ、
前記情報処理装置または前記クライアント端末のいずれかを、
前記通知手段により通知された画像データに対する選択状態に関する情報を受け付ける受付手段、
前記受付手段により受け付けた画像データに対する選択状態に関する情報を用いて、前記第二の管理手段により管理された選択条件を満たすかを判定する判定手段、
前記判定手段による判定の結果、選択条件を満たすと判定された場合、前記クライアント端末のブラウザ上に表示された画像データに対する選択状態をユーザに確定させる確定指示オブジェクトを選択可能にさせる旨の指示をし、一方、選択条件を満たさないと判定された場合、前記クライアント端末のブラウザ上に表示された画像データに対する選択状態をユーザに確定させる確定指示オブジェクトを選択不能にさせる旨の指示をする指示手段として機能させ、
前記クライアント端末を、
前記指示手段によりなされた指示の内容に応じて、前記画像データに対する選択状態をユーザに確定させる確定指示オブジェクトの状態を制御する制御手段
として機能させることを特徴とするプログラム。
【請求項１１】
ブラウザがインストールされたクライアント端末であり、情報処理装置から送信された画面情報を受信する受信手段と、前記受信手段により受信された画面情報を用いて、当該画面情報に含まれる画像データをブラウザ上に表示する制御を行う表示手段と、前記表示手段によりブラウザ上に表示された画像データに対する選択を受け付ける選択受付手段と、前記選択受付手段により画像データに対する選択を受け付けたことに応じて、画像データに対する選択状態に関する情報を通知する通知手段と、前記情報処理装置からなされた指示の内容に応じて、前記画像データに対する選択状態をユーザに確定させる確定指示オブジェクトの状態を制御する制御手段とを備えるクライアント端末と、ネットワークを介して通信可能に設けられ、画像データの抽出を行うためのコンテストの主催者が設定した条件に従って、画像データの抽出を行う情報処理装置であって、
画像データを管理する第一の管理手段と、
前記クライアント端末を操作するユーザに所定の条件に応じた画像データを選択させるために用いられる選択条件を管理する第二の管理手段と、
前記クライアント端末からの要求に応じて、前記第一の管理手段により管理された画像データを含む前記クライアント端末のブラウザ上に表示可能な画面情報を送信する送信手段と、
前記クライアント端末の通知手段により通知された画像データに対する選択状態に関する情報を受け付ける受付手段と、
前記受付手段により受け付けた画像データに対する選択状態に関する情報を用いて、前記第二の管理手段により管理された選択条件を満たすかを判定する判定手段と、
前記判定手段による判定の結果、選択条件を満たすと判定された場合、前記クライアント端末のブラウザ上に表示された画像データに対する選択状態をユーザに確定させる確定指示オブジェクトを選択可能にさせる旨の指示をし、一方、選択条件を満たさないと判定された場合、前記クライアント端末のブラウザ上に表示された画像データに対する選択状態をユーザに確定させる確定指示オブジェクトを選択不能にさせる旨の指示をする指示手段と
を備えることを特徴とする情報処理装置。
【請求項１２】
ブラウザがインストールされたクライアント端末であり、情報処理装置から送信された画面情報を受信する受信手段と、前記受信手段により受信された画面情報を用いて、当該画面情報に含まれる画像データをブラウザ上に表示する制御を行う表示手段と、前記表示手段によりブラウザ上に表示された画像データに対する選択を受け付ける選択受付手段と、前記選択受付手段により画像データに対する選択を受け付けたことに応じて、画像データに対する選択状態に関する情報を通知する通知手段と、前記通知手段により通知された画像データに対する選択状態に関する情報を受け付ける受付手段と、前記受付手段により受け付けた画像データに対する選択状態に関する情報を用いて、情報処理装置により管理された選択条件を満たすかを判定する判定手段と、前記判定手段による判定の結果、選択条件を満たすと判定された場合、前記クライアント端末のブラウザ上に表示された画像データに対する選択状態をユーザに確定させる確定指示オブジェクトを選択可能にさせる旨の指示をし、一方、選択条件を満たさないと判定された場合、前記クライアント端末のブラウザ上に表示された画像データに対する選択状態をユーザに確定させる確定指示オブジェクトを選択不能にさせる旨の指示をする指示手段と、前記指示手段によりなされた指示の内容に応じて、前記画像データに対する選択状態をユーザに確定させる確定指示オブジェクトの状態を制御する制御手段とを備えるクライアント端末と、ネットワークを介して通信可能に設けられ、画像データの抽出を行うためのコンテストの主催者が設定した条件に従って、画像データの抽出を行う情報処理装置であって、
画像データを管理する第一の管理手段と、
前記クライアント端末を操作するユーザに所定の条件に応じた画像データを選択させるために用いられる選択条件を管理する第二の管理手段と、
前記クライアント端末からの要求に応じて、前記第一の管理手段により管理された画像データを含む前記クライアント端末のブラウザ上に表示可能な画面情報を送信する送信手段と
を備えることを特徴とする情報処理装置。